(57)【要約】      （修正有）【課題】自動車の高い安全レベルを保証するためにウォッブル振動モードとウィーブ振動モードの両方に関して有効な電子調節型ステアリングダンパの制御方法を提供する。【解決手段】制御システム１０は、アクチュエータ３０に作用する制御ブロック２０を有し、このアクチュエータは、二輪自動車又は他の自動車４０に作用する。また、自動車４０の瞬時要因を検出し、これら要因を制御ブロック２０の入力とする測定ブロック５０が設けられている。自動車４０に取り付けられたアクチュエータ３０は、電子調節型ステアリングダンパ、即ち、調節可能なステアリングトルクを瞬時に分配することができる装置である。好ましくは、かかるアクチュエータ３０は、半能動型ステアリングダンパである。【選択図】図３
2010269789.tif 000002
【特許請求の範囲】
【請求項１】
二輪自動車（４０）の電子調節型ステアリングダンパ（３０）を制御する方法であって、前記ステアリングダンパ（３０）は、ステアリング速度
2010269789.tif 000051
に従って調節できる減衰トルクを前記二輪自動車（４０）のステアリング組立体（４５）に及ぼすことができ、前記方法が、前記二輪自動車（４０）の少なくとも１つの制御変数
2010269789.tif 000052
を求めるステップと、前記少なくとも１つの制御変数
2010269789.tif 000053
に基づいて前記電子調節型ステアリングダンパ（３０）の瞬時減衰係数
2010269789.tif 000054
を計算するステップとを有する、方法において、前記少なくとも１つの制御変数は、前記二輪自動車のヨーレート
2010269789.tif 000055
を含む、方法。
【請求項２】
前記方法は、前記ヨーレート
2010269789.tif 000056
を測定してフィルタリングするステップを有する、請求項１記載の二輪自動車（４０）の電子調節型ステアリングダンパ（３０）を制御する方法。
【請求項３】
前記少なくとも１つの制御変数は、前記二輪自動車の前記ステアリング速度
2010269789.tif 000057
を更に含み、前記方法は、前記ヨーレート
2010269789.tif 000058
に基づいて前記ステアリング速度
2010269789.tif 000059
を評価するステップを有する、請求項２記載の二輪自動車（４０）の電子調節型ステアリングダンパ（３０）を制御する方法。
【請求項４】
前記少なくとも１つの制御変数は、前記二輪自動車の前記ステアリング速度
2010269789.tif 000060
を更に含み、前記方法は、前記二輪自動車のステアリング角度
2010269789.tif 000061
を測定し、前記ステアリング速度
2010269789.tif 000062
をコンピュータ処理するステップを有する、請求項１記載の二輪自動車（４０）の電子調節型ステアリングダンパ（３０）を制御する方法。
【請求項５】
前記方法は、前記ステアリング速度
2010269789.tif 000063
に基づいて前記ヨーレート
2010269789.tif 000064
を評価するステップを有する、請求項４記載の二輪自動車（４０）の電子調節型ステアリングダンパ（３０）を制御する方法。
【請求項６】
前記瞬時減衰係数
2010269789.tif 000065
を計算する前記ステップは、第１の制御アルゴリズムに基づいて実施され、前記第１の制御アルゴリズムは、次式、即ち、
【数１】
2010269789.tif 000066
で形式化される、請求項１〜５のうちいずれか一に記載の二輪自動車（４０）の電子調節型ステアリングダンパ（３０）を制御する方法。
【請求項７】
前記瞬時減衰係数
2010269789.tif 000067
を計算する前記ステップは、第２の制御アルゴリズムに基づいて実施され、前記第２の制御アルゴリズムは、次式、即ち、
【数２】
2010269789.tif 000068
で形式化される、請求項１〜５のうちいずれか一に記載の二輪自動車（４０）の電子調節型ステアリングダンパ（３０）を制御する方法。
【請求項８】
前記方法は、前記二輪自動車（４０）が低い振動数の振動を受けるか高い振動数の振動を受けるかを確立するステップを有する、請求項１〜７のうちずれか一に記載の二輪自動車（４０）の電子調節型ステアリングダンパ（３０）を制御する方法。
【請求項９】
前記二輪自動車（４０）の動的挙動を定める前記ステップは、
2010269789.tif 000069
の形態の静的選択関数（ｆ（ｔ））が、ゼロ未満であるかゼロを超えるか、ゼロに等しいかをチェックするステップを含む、請求項８記載の二輪自動車（４０）の電子調節型ステアリングダンパ（３０）を制御する方法。
【請求項１０】
前記二輪自動車（４０）の動的挙動を定める前記ステップは、
‐第１及び第２の共振帯域フィルタにより前記ステアリング角度
2010269789.tif 000070
の前記測定値をフィルタリングする段階を含み、前記第１の帯域フィルタは、前記第２の帯域フィルタの第２の共振振動数よりも低い第１の共振振動数を有し、第１のフィルタリングされた信号
2010269789.tif 000071
及び第２のフィルタリングされた信号
2010269789.tif 000072
を得る段階を含み、
‐前記フィルタリングされた信号
2010269789.tif 000073
のべき指数
2010269789.tif 000074
を計算し、前記計算されたべき指数
2010269789.tif 000075
の平均値
2010269789.tif 000076
を求める段階を含み、
‐前記求めた平均値
2010269789.tif 000077
を互いに比較する段階を含み、前記第１のフィルタリングされた信号
2010269789.tif 000078
の前記べき指数
2010269789.tif 000079
の前記平均値
2010269789.tif 000080
が前記第２のフィルタリングされた信号
2010269789.tif 000081
の前記べき指数
2010269789.tif 000082
の前記平均値
2010269789.tif 000083
よりも大きい場合、前記二輪自動車（４０）は、低い振動数の振動を受け、前記第２のフィルタリングされた信号
2010269789.tif 000084
の前記べき指数
2010269789.tif 000085
の前記平均値
2010269789.tif 000086
が前記第１のフィルタリングされた信号
2010269789.tif 000087
の前記べき指数
2010269789.tif 000088
の前記平均値
2010269789.tif 000089
よりも大きい場合、前記二輪自動車（４０）は、高い振動数の振動を受ける、請求項８記載の二輪自動車（４０）の電子調節型ステアリングダンパ（３０）を制御する方法。
【請求項１１】
前記方法は、前記二輪自動車（４０）が低い振動数の振動を受ける場合、前記第１の制御アルゴリズムを適用し、前記二輪自動車（４０）が高い振動数の振動を受ける場合、前記第２の制御アルゴリズムを適用するステップを有する、請求項８〜１０のうちいずれか一に記載の二輪自動車（４０）の電子調節型ステアリングダンパ（３０）を制御する方法。
【請求項１２】
前記方法は、前記二輪自動車（４０）が高い振動数の振動を受ける場合、前記瞬時減衰係数
2010269789.tif 000090
を最大減衰係数（ｃmax）に等しく設定し、前記二輪自動車（４０）が低い振動数の振動を受ける場合、前記瞬時減衰係数
2010269789.tif 000091
を最小減衰係数（ｃmin）に等しく設定するステップを有する、請求項８〜１０のうちいずれか一に記載の二輪自動車（４０）の電子調節型ステアリングダンパ（３０）を制御する方法。
【請求項１３】
二輪自動車（４０）の電子調節型ステアリングダンパ（３０）を制御する装置であって、前記ステアリングダンパ（３０）は、ステアリング速度
2010269789.tif 000092
に従って調節できる減衰トルクを前記二輪自動車（４０）のステアリング組立体（４５）に及ぼすことができ、前記制御装置が、少なくとも１つの制御変数
2010269789.tif 000093
を測定する少なくとも１つの手段に接続された処理手段を有し、前記処理手段が、前記ステアリングダンパの減衰係数
2010269789.tif 000094
の瞬時値を計算するのに適している、装置において、前記少なくとも１つの測定手段は、前記二輪自動車（４０）のヨーレート
2010269789.tif 000095
を測定する手段及び／又はステアリング角度
2010269789.tif 000096
を測定する手段を有する、装置。
【請求項１４】
前記処理手段は、ステアリング角度
2010269789.tif 000097
を測定する前記手段によって測定されたステアリング角度
2010269789.tif 000098
に基づくと共に／或いはヨーレート
2010269789.tif 000099
を測定する前記手段によって測定されたヨーレート
2010269789.tif 000100
に基づいてステアリング角度
2010269789.tif 000101
を計算する手段を含む、請求項１３記載の二輪自動車（４０）の電子調節型ステアリングダンパ（３０）を制御する装置。
【請求項１５】
前記処理手段は、前記計算されたステアリング速度
2010269789.tif 000102
に基づいてヨーレート
2010269789.tif 000103
を計算する手段を含む、請求項１４記載の二輪自動車（４０）の電子調節型ステアリングダンパ（３０）を制御する装置。
【請求項１６】
前記処理手段は、請求項１〜１２のうちいずれか一に記載の制御方法を実施するのに適している、請求項１３〜１５のうちいずれか一に記載の二輪自動車（４０）の電子調節型ステアリングダンパ（３０）を制御する装置。
【発明の詳細な説明】
【技術分野】
【０００１】
本発明は、二輪自動車又は他の自動車（以下「車両」という場合がある）の電子調節型ステアリングダンパを制御する方法及びこの方法を実施する装置に関する。
【背景技術】
【０００２】
モータサイクル分野における研究は、強力且つ軽量である車両の製作をますます目指しており、かくして、かかる車両は、高い自然状態における不安定性を示し、かかる不安定性は、車両の受ける振動モードを減少させるのに適したステアリングダンパを設けることにより部分的に制限できる。
【０００３】
具体的に説明すると、二輪自動車において低速では、主として３つの振動モード、即ち、自動車のピッチモード、タイヤのホップモード及びウォッブルモードが存在する。ピッチモードは、重心を通る横方向軸線回りの自動車の回転に起因しており、かかるピッチモードにより、一方のサスペンションが圧縮され、他方は伸張され、かかる振動モードは、一般に、低振動数で生じる。というのは、その動力性能又は動的挙動は、自動車の全体的慣性によって制御されるからである。
【０００４】
タイヤのホップモードは、ばね下質量とフロントタイヤの剛性の相互作用に起因している。特に、固有振動数はタイヤの剛性で決まる。タイヤの剛性は、通常、インフレーション圧力に起因して非常に高いので、かかるモードは、ピッチよりも高い振動数で生じる。
【０００５】
最後に、ウォッブルモードは、それ自体の軸線回りのステアリングの振動であり、かかるウォッブルモードは、典型的には、ステアリングの慣性及びノーマルフロントホイールトレール、即ち、自動車が垂直位置にあり且つステアリング角度がゼロである場合のタイヤと路面の接触点と、ステアリング軸線と路面の交点との間の距離に従って、８Ｈｚ〜１４Ｈｚの振動数で生じる。
【０００６】
ウォッブルモードは、非常に僅かしか減衰されない振動モードであり、かくして、自動車の制御を非常に困難にする場合がある。
【０００７】
さらに、かかる振動モードが生じる約１０Ｈｚに等しい高い振動数は、ウォッブルモードの振動を運転手にとって抑制するのを困難にし、かくして、運転手の安全性にとって非常に危険である。
【０００８】
これらの理由で、一般に二輪自動車に用いられているステアリングダンパは、主として、ウォッブルモードを減衰する役割を果たし、これと関連した振動モードを非常に抑制された状態にすることができる。
【０００９】
かかる目的のため、今日、二輪自動車用受動型ステアリングダンパが、あらかじめ定められると共にダンパ製造ステップにおける設計上の選択から得られた減衰係数を有する状態で用いられる場合が多く、又は、電子的に調節可能なステアリングダンパが用いられる場合があり、その特定の一形式は、半能動型ステアリングダンパであり、かかる半能動型ステアリングダンパにより、ステアリングトルクを制御方法により瞬時に調整することができる。
【００１０】
特に、受動型ステアリングダンパの場合、減衰係数は、これが高い振動数で生じるウォッブルモードに起因した振動を減衰させることができるよう十分高く選択されている。
【００１１】
他方、半能動型ステアリングダンパの場合、今日まで用いられている制御方法は、一般に、自動車の瞬時前進速度又は他の変数、例えば縦加速度を利用しており、ウォッブルモードの減衰を得ることができるようにする制御法則に従う。
【００１２】
例えば、自動車が所定範囲内の速度で走行しているとき、自動車の速度及び縦加速度が変化すると、ステアリングダンパの減衰係数を増大させることが知られている。したがって、設定値よりも高い速度の場合、減衰係数は、一定のままであり、最大値に等しい。
【００１３】
しかしながら、受動型ダンパにおける減衰係数の選択及び半能動型ダンパの公知の制御方法は、これらがウォッブルモードについて申し分のない減衰結果を既に得ている場合であっても、特に高速でステアリングが受ける他の振動モードの組に対抗することができない。確かに、高速では、ウォッブルモードと共に実際には別の振動モード、即ち、ウィーブモードが生じる。ウィーブモードに起因した振動は、モータサイクル全体に影響する。特に、かかる振動は、ステアリング組立体から生じ、自動車をそれ自体の垂直軸線回りに振動させる。
【００１４】
かかる振動モードの固有振動数は、典型的には、２Ｈｚ〜４Ｈｚであり、多くの要因、例えばリヤ部分の重心の位置、ホイールの慣性、ノーマルフロントホイールトレール及びキャスタ角、即ちステアリング軸線と自動車の垂直軸線との間の角度によって決定される。
【００１５】
ウィーブモードは、一般に、平均的速度では非常に良く抑制されるが、高速では非常に僅かしか抑制されない状態になる場合があり、操縦者が制御することは非常に困難である。というのは、ウィーブモードは、自動車全体に影響を及ぼすからである。
【００１６】
かくして、結果として、高速では、自動車のステアリング軸線回りに２種類の共振、即ち、低振動数におけるウィーブ共振及び高振動数におけるウォッブル共振が存在する。
【００１７】
ウォッブル振動モードとウィーブ振動モードは、共に、ステアリングダンパの減衰係数の影響を受けるが、逆の仕方で受け、即ち、高い減衰値により、高振動数共振を減衰させることができるが、かかる高い減衰値は、低振動数共振を増幅させる。
【００１８】
したがって、ステアリングダンパの高い減衰係数により、ウォッブル共振の良好な減衰が保証されるが、ウィーブ共振が増幅される。
【００１９】
減衰係数の特定の一値が２つの振動モードに関して有する効果相互間の対比により、受動型ステアリングダンパは、これらの両方の振動モードを共に減衰させるのが全く不適当になる。
【００２０】
実質的にウォッブルだけの状況を把握する高速に関するステアリングダンパの公知の制御方法も又、ウィーブの効果的な減衰作用も又保証することができない。
【００２１】
かくして、自動車の高い安全レベルを保証するため、ウォッブル振動モードとウィーブ振動モードの両方に関して有効な電子調節型ステアリングダンパの制御方法が提供されることが要望されている。
【発明の概要】
【発明が解決しようとする課題】
【００２２】
本発明の目的は、上述の欠点を解決すると共に特に、ウォッブルモードに起因した振動とウィーブモードに起因した振動の両方を効果的に減衰させることができる二輪自動車の電子調節型ステアリングダンパの制御方法を提供することにある。
【００２３】
本発明の別の目的は、低速と高速の両方においてステアリング組立体の振動モードを減衰させる上で申し分のない性能を提供する二輪自動車の電子調節型ステアリングダンパの制御方法を提供することにある。
【００２４】
本発明の別の目的は、上述の方法を実施する装置であって、二輪自動車の電子調節型ステアリングダンパを制御するようになった装置を製作することにある。
【課題を解決するための手段】
【００２５】
本発明の上記目的及び他の目的は、請求項１記載の二輪自動車の電子調節型ステアリングダンパを制御する方法を提供することによって達成される。
【００２６】
二輪自動車の電子調節型ステアリングダンパを制御する方法のそれ以上の特徴は、従属形式の請求項の内容である。
【００２７】
本発明に従って二輪自動車の電子調節型ステアリングダンパを制御する方法の特徴及び利点は、本発明を限定する目的ではなく、例示として与えられている以下の説明を添付の図面を参照して読むと、明らかになろう。
【図面の簡単な説明】
【００２８】
【図１ａ】二輪自動車の略図であり、そのステアリング軸線回りの回転動的挙動に影響を及ぼす要因を示す図である。
【図１ｂ】車両の略図であり、その垂直動的挙動に影響を及ぼす要因を示す図である。
【図２ａ】第１の制御方式に従って固定的に連結された二輪自動車の平面図である。
【図２ｂ】第２の制御方式に従って固定的に連結された二輪自動車の平面図である。
【図３】二輪自動車のステアリングダンパの制御システムの略図である。
【図４ａ】図３の制御システムの測定ブロックの第１の実施形態の略図である。
【図４ｂ】図３の制御システムの測定ブロックの第２の実施形態の略図である。
【図５】振動数に関して、低速においてステアリングトルクとステアリング角度との間で生じる動的挙動を本発明の制御が行われる場合と行われない場合について比較したグラフ図である。
【図６】振動数に関して、高速においてステアリングトルクとステアリング角度との間で生じる動的挙動を本発明の制御が行われる場合と行われない場合について比較したグラフ図である。
【発明を実施するための形態】
【００２９】
図を参照すると、制御システムが、全体を参照符号１０で指示された状態で図示されており、この制御システムは、アクチュエータ３０に作用する制御ブロック２０を有し、このアクチュエータは、二輪自動車又は他の自動車４０に作用する。
【００３０】
また、自動車４０の瞬時要因を検出し、これら要因を制御ブロック２０の入力とする測定ブロック５０が設けられている。
【００３１】
自動車４０に取り付けられたアクチュエータ３０は、電子調節型ステアリングダンパ、即ち、調節可能なステアリングトルクを瞬時に分配することができる装置である。好ましくは、かかるアクチュエータ３０は、半能動型ステアリングダンパである。
【００３２】
本発明に従って二輪自動車の電子調節型ステアリングダンパを制御する方法を開発する際、本出願人は、非限定的な例として、比例定数が電子的に調節可能なステアリングの回転速度
2010269789.tif 000003
に比例したステアリングトルクを提供することができる形式の半能動型ステアリングダンパ３０への取り組みを開始した。
【００３３】
かかるステアリングダンパ３０は、例えば電磁弁によるような又は磁気流体学的技術を備えた任意の利用可能な作動技術に従って製作可能である。
【００３４】
本出願人は、不規則な路面輪郭形状又はステアリングトルクに作用する外乱により引き起こされるかかる二輪自動車のステアリング振動を制御する問題が、車両の垂直動的挙動を制御する問題と多くの類似性があることを発見した。
【００３５】
図１ａ及び図１ｂは、２種類の動的挙動、即ち、ステアリング軸線回りの回転動的挙動及び垂直動的挙動に影響を及ぼす要因の概略比較図である。車両の垂直動的挙動を制御するシステムの分析にあたり、路面輪郭形状と車体の運動との間の伝達関数が通常考慮され、車体においては、２種類の共振、即ち、低振動数における「車体」の共振と高振動数における「ホイール」の共振が存在する。
【００３６】
同様に、上記において概略的に説明したように、路面輪郭形状（又はステアリングトルク）と高速で走行している自動車のステアリング角度との間の回転動的挙動を分析する際、２種類の共振、即ち、低振動数ウィーブ共振と高振動数ウォッブル共振に注目するのが良い。
【００３７】
垂直動的挙動を制御する場合と同様、ステアリング軸線回りの回転動的挙動を制御する際にも、高い減衰値は、高振動数共振を減衰させることができるが、低振動数共振を増幅させることが分かる。本出願人は、ステアリング軸線回りの回転動的挙動の効果的な制御を達成するために、垂直動的挙動を制御する場合における車体の共振がウィーブの共振に類似し、自動車のステアリング軸線回りの回転動的挙動を制御する場合、ホイールの共振がウォッブルの共振に類似しているという仮説から始めた。
【００３８】
かかる仮説に基づき、制御方法が設計上基づくべきステアリング軸線回りの回転動的挙動に影響を及ぼす要因を突き止めた。
【００３９】
特に、ステアリング軸線回りの動的挙動を制御する方法を設計する上での制御変数を自動車のヨーレート
2010269789.tif 000004
、即ち自動車の重心を通る垂直軸線回りの回転速度及びステアリングの回転速度
2010269789.tif 000005
として特定した。
【００４０】
車両の垂直動的挙動により突き止められた類似性に従って、本出願人は、当初、２つの別々の制御方式に取り組み、次いで、これら制御方式から、最適化された制御方式を導き出し、それにより、高振動数振動モードと低振動数振動モードの両方について良好な減衰結果を得た。
【００４１】
第１の制御方式によれば、自動車の車体４１を固定された基準に取り付けられた状態に保つ振動モードの減衰が行われることが望ましく、固定された基準の原点は、自動車の出量中心に固定的に取り付けられ、固定された基準は、自動車それ自体と一緒に剛性的に動くが、自動車の垂直軸線回りに回転することができない。
【００４２】
ステアリングダンパの減衰係数の値は、かくして、理想的には第１のダンパ４２を車体４１と固定された基準との間に配置し、次式、即ち、
【数１】
2010269789.tif 000006
に等しいトルクを及ぼすことを考慮して選択される。
【００４３】
しかしながら、実際に半能動型ステアリングダンパ３０を介して及ぼすことができるトルクは、次式で与えられる。
【００４４】
【数２】
2010269789.tif 000007
【００４５】
２つのトルクを等しくすることにより、ヨーレート
2010269789.tif 000008
とステアリングの回転速度
2010269789.tif 000009
が一致し又は調和する場合、半能動型ダンパ３０は、最大減衰係数ｃmaxをもたらさなければならず、その他の場合には、最小減衰係数ｃminをもたらさなければならないことが分かる。
【００４６】
かくして、本発明に従って自動車の電子調節型ステアリングダンパを制御する方法に用いられる第１の制御アルゴリズムは、次のように形式化される。
【００４７】
【数３】
2010269789.tif 000010
【００４８】
第２の方式は、ステアリング４５の振動を減少させるようホイール４３を固定基準に理想的には「フッキング（hooking）」を推定する。
【００４９】
かくして、ステアリングダンパの減衰係数値は、第２のダンパ４４をフロントホイール４３と固定基準との間に理想的に配置することを考慮して選択される。
【００５０】
固定基準に対するステアリング４５の運動は、２つの原因、即ち、自動車の垂直軸線回りの回転に起因した第１の原因及び実際のステアリング角度
2010269789.tif 000011
に起因した第２の原因の結果である。
【００５１】
かくして、この場合に用いられる論理は、次式に等しいトルクを及ぼすことを推定している。
【００５２】
【数４】
2010269789.tif 000012
【００５３】
これに対して、実際のトルクは次のように変わらない。
【００５４】
【数５】
2010269789.tif 000013
【００５５】
２つのトルクを等しくすることにより、第２の制御アルゴリズムが得られ、かかる第２の制御アルゴリズムは、本発明に従って自動車の電子調節型ステアリングダンパを制御する方法で用いることができ、第２の制御アルゴリズムは、次のように形式化される。
【００５６】
【数６】
2010269789.tif 000014
【００５７】
上述の２つの制御方式により、車体‐ステアリング組立体４１，４５（第１の方式）又はステアリング４５（第２の方式）に関与する振動の観点から優れた性能を得ることができ、特に、第１の方式は、自動車４０が低振動数で受ける外乱を効果的に減衰させ、これに対し、高振動数外乱は、第２の方式によって良好にフィルタリングされ、かかる第２の方式は、フロントホイール４３を固定慣性基準のところにフッキングする傾向があり、それにより、ステアリング組立体４５に関するあらゆる現象が減衰される。
【００５８】
第１の選択規則は、もっぱら加速度測定値及びヨーレート測定値を用いて自動車に関与する振動がスイッチング振動数αよりも高い振動数を有しているか低い振動数を有しているかどうかを比較してかかる振動が高い振動数の領域に属するか低い振動数の領域に属するかどうかを判定する静的関数を利用している。かかる静的関数は、以下の表現を有する。
【００５９】
【数７】
2010269789.tif 000015
【００６０】
かかる静的関数は、設計パラメータαにより特徴づけられ、かかる設計パラメータの値（単位：ｒａｄ／ｓ）は、第１の制御アルゴリズムと第２の制御アルゴリズムとの間のスイッチング振動数を表している。
【００６１】
設計パラメータアルファは、ウィーブ共振とウォッブルの共振の両方を最適な仕方で減衰させるように選択される。かかるパラメータの値は、実験的に較正され、この値は、自動車に応じ、自動車それ自体の幾何学的特性に基づいて様々な場合がある。かかる値は、いずれの場合においても、ウィーブモードの固有パルス（代表的には１２〜２５ｒａｄ／ｓ）とウォッブルモードの固有パルス（代表的には５０〜９５ｒａｄ／ｓ）との間に位置する。
【００６２】
静的関数ｆ（ｔ）がゼロよりも小さい場合、第１の制御アルゴリズムが用いられ、他方、静的関数ｆ（ｔ）がゼロ以上である場合、第２の制御アルゴリズムが用いられる。
【００６３】
かくして、本発明に従って自動車の電子調節型ステアリングダンパを制御する方法で用いることができる第１のハイブリッド制御アルゴリズムが得られ、この第１のハイブリッド制御アルゴリズムは、静的関数ｆ（ｔ）に基づく選択規則を考慮している。
【００６４】
【数８】
2010269789.tif 000016
【００６５】
第２のハイブリッド制御アルゴリズムは、自動車が低振動数で応力を受けたか高振動数で応力を受けたかどうかを判定するためにステアリング角度
2010269789.tif 000017
の測定値に基づいて第２の選択規則の使用を予想している。
【００６６】
かかる目的のため、ステアリング角度
2010269789.tif 000018
の測定値は、好ましくは非常に僅かしか減衰されない極を有する二次の２つの共振帯域フィルタによりフィルタリングされ、その共振振動数は、実質的に、ウィーブモード及びウォッブルモードの固有振動数と一致し、かくして、それぞれ低振動数での共振フィルタの出力として得られたステアリング角度の測定値
2010269789.tif 000019
及び高振動数での共振フィルタの出力として得られたステアリング角度の測定値
2010269789.tif 000020
を表す２つの要因が得られる。
【００６７】
次に、２つのフィルタリングされた信号
2010269789.tif 000021
のべき指数
2010269789.tif 000022
を計算し、平均値
2010269789.tif 000023
を出し、べき指数
2010269789.tif 000024
を低域フィルタにより又は移動平均フィルタを用いてフィルタリングし、かかる要因を比較する。
【００６８】
低振動数におけるフィルタリングされた信号の平均べき指数
2010269789.tif 000025
が大きい場合、ウィーブ共振が励起され、そうでなければ、ウォッブル共振が励起される。
【００６９】
自動車に関与する振動の振動数における内容をいったん見積もると、ウィーブを減衰させることが必要な場合に第１のアルゴリズムを適用し、或いは、ウォッブルを減衰させることが必要な場合には第２のアルゴリズムを適用する。
【００７０】
かくして、特に、次の論理に基づいてステアリングダンパの減衰係数を選択する第２のハイブリッド制御アルゴリズムが得られる。
【００７１】
【数９】
2010269789.tif 000026
【００７２】
本発明に従って自動車の電子調節型ステアリングダンパを制御する方法で用いることができる第３のハイブリッド制御アルゴリズムは、静的選択関数ｆ（ｔ）に応じ又は信号のべき指数に基づく規則に応じて、最小減衰係数ｃmin又は最大減衰係数ｃmaxを選択することを予想している。特に、自動車の受ける振動がこれら振動に低振動数が含まれていることを指示している振動数場を区別するために選択の基準が用いられる場合には最小減衰係数ｃminが選択され、これに対し、かかる振動が高振動数で作用することが選択規則により判定された場合には最大減衰係数ｃmaxが選択される。
【００７３】
このように、単一のセンサを用いることが可能であり、特に、ヨーレート
2010269789.tif 000027
の測定が第１の場合に利用され、ステアリング角度
2010269789.tif 000028
の測定が第２の場合に利用される。
【００７４】
上述したように、本出願人により突き止められた自動車の電子調節型ステアリングダンパを制御する上での制御変数は、自動車のヨーレート
2010269789.tif 000029
及びステアリングの回転速度
2010269789.tif 000030
である。
【００７５】
本発明の制御方法に用いることができる制御アルゴリズムは、確かに、かかる制御変数を用いて所望の減衰係数
2010269789.tif 000031
を選択する。
【００７６】
かかる要因は、適当なセンサを用いることにより測定できる。特に、ステアリングの回転速度
2010269789.tif 000032
は、例えば線形又は回転ポテンショメータの使用及び関心のある振動数帯域における理想的なシャントに近似する帯域フィルタによる適当なディジタルフィルタリングによってステアリング角度
2010269789.tif 000033
の測定からも得ることができるが、高振動数における測定ノイズは減衰される。
【００７７】
例えばレートジャイロにより得られたヨーレート
2010269789.tif 000034
の測定値は、好ましくは、例えば３０Ｈｚの周波数に実際の極を備えた二次の帯域フィルタでフィルタリングされる。
【００７８】
２つのセンサが利用可能な場合における制御方式１０の測定ブロック５０は、かくして、ステアリング角度
2010269789.tif 000035
の測定値を導き出すと共にヨーレート
2010269789.tif 000036
の測定値をフィルタリングするために使用される。
【００７９】
しかしながら、センサの使用を減少させるため、状態オブザーバを用いて他方の要因を測定することにより一方の要因を予想する。
【００８０】
図４ａに示されているように、ステアリング角度
2010269789.tif 000037
のみを測定する場合、ステアリングの回転速度
2010269789.tif 000038
を計算するために帯域フィルタ５１が用いられ、ステアリングの回転速度
2010269789.tif 000039
に基づいてヨーレート
2010269789.tif 000040
を推定することができる適当なオブザーバ５２が用いられる。好ましくは、オブザーバは、リューエンバーガ（Luenberger）型のものである。
【００８１】
かかる測定ブロック５０は、好ましくは、第２のハイブリッド制御アルゴリズムで用いられ、この第２のハイブリッド制御アルゴリズムは、ステアリング角度
2010269789.tif 000041
の測定値に基づいて選択規則を用いる。このように、ステアリング角度
2010269789.tif 000042
の同一の測定値に基づいて、一方においては、信号のべき指数に基づく選択規則に従って、自動車の振動が低振動数で作用するか高振動数で作用するかを判定し、他方において、ステアリングダンパの所望の減衰係数値
2010269789.tif 000043
を計算するためにヨーレート
2010269789.tif 000044
が推定される。
【００８２】
しかしながら、ヨーレート
2010269789.tif 000045
を測定するためにレートジャイロだけが用いられる場合、オブザーバが利用するモデルは、ヨーレート
2010269789.tif 000046
に基づいてステアリングの回転速度
2010269789.tif 000047
を推定することができるようなものである。
【００８３】
この場合、図４ｂに示されている測定ブロック５０では、ヨーレート
2010269789.tif 000048
は、２つのセンサが利用可能な場合と関連して説明した低域フィルタ５３でフィルタリングされ、それにより、高振動数での測定ノイズを減衰させる。
【００８４】
かかる測定ブロック５０は、好ましくは、静的関数ｆ（ｔ）に基づく振動数選択規則を用いた第１のハイブリッド制御アルゴリズムと関連して用いられる。
【００８５】
かかる第１のハイブリッド制御アルゴリズムでは、ヨー加速度
2010269789.tif 000049
は、関心のある周波数帯域における理想的なシャントに近似した帯域フィルタによりヨーレート
2010269789.tif 000050
から計算される。
【００８６】
有利には、本発明の二輪自動車の電子調節型ステアリングダンパの制御方法は、制御変数、例えばヨーレート及び／又はステアリング角度の少なくとも１つの測定手段に結合された処理手段を有する制御装置によって実施される。
【００８７】
処理手段は、少なくとも１つの測定手段により入力される少なくとも１つの測定変数の瞬時値に対応した信号を受け取り、これに基づいて、処理手段は、ステアリングダンパの減衰係数の瞬時値を計算し、そして、場合によっては利用可能ではない変数を推定する。
【００８８】
減衰係数を計算するため、処理手段は、本発明の二輪自動車の電子調節型ステアリングダンパを制御する方法を実施する。
【００８９】
本発明の二輪自動車の電子調節型ステアリングダンパを制御する方法で用いられるアルゴリズムを検証するため、種々のシミュレーションが実施され、最小減衰係数ｃminを備えた受動型ステアリングダンパにより提供される性能及び最大減衰係数ｃmaxを有する受動型ステアリングダンパにより提供される性能で制御される半能動型ステアリングダンパの性能を比較した。
【００９０】
比較されたアルゴリズムは次の通りであり、
‐２つのセンサが用いられる静的選択基準に基づいて第１の制御アルゴリズムを用いるか第２の制御アルゴリズムを用いるかどうかを識別する第１のハイブリッド制御アルゴリズム、
‐ヨーレートを検出するためにセンサが１つだけ用いられ、これに対し、ステアリングの回転速度がオブザーバによりヨーレートから推定される同一のアルゴリズム、
‐静的選択関数ｆ（ｔ）の符号に対応した最小又は最大減衰係数を設定し、ヨーレートを検出するためにセンサが１つだけ用いられる第３のハイブリッド制御アルゴリズム。
【００９１】
試験は、種々の速度でステアリングトルクの外乱に直面したときに制御アルゴリズムを試験するために計画された。かくして、関心のある振動数の範囲で作用するステアリングトルクのプロフィールとして正弦波スイープが設定された。
【００９２】
かかる試験により、ウィーブ共振及びウォッブル共振の減衰を評価し、関心のある振動数範囲全体に関する結論を集めることが可能である。
【００９３】
図５は、５０ｋｍ／ｈに等しい速度に関してステアリングトルクとステアリング角度の間の振動数の応答を示しており、即ち、高速度において関心のある唯一の共振は、これがモータサイクルの安定性にとって重要なので、高振動数の共振（ウォッブル）である。かくして、最善の減衰結果は、最大減衰係数ｃmaxを有する受動型ステアリングダンパにより得られるということが分かる。
【００９４】
しかしながら、本発明の二輪自動車の電子調節型ステアリングダンパを制御する方法も又、低速において良好な性能を提供する。
【００９５】
特に、第１のハイブリッドアルゴリズム、即ち、静的選択規則を含む制御アルゴリズムを用いた制御方法は、センサが１つしか用いられない場合であっても共振ピークの最適減衰を保証する。
【００９６】
これよりも高い速度に関し、ウィーブ共振とウォッブル共振の両方が起こり、受動型ダンパは、周波数範囲全体において適当な減衰を保証することができない。
【００９７】
図６は、１４０ｋｍ／ｈの速度の場合におけるステアリングトルクとステアリング角度との間の振動数の応答を示している。
ハイブリッド制御アルゴリズムを用いた本発明の二輪自動車の電子調節型ステアリングダンパを制御する方法は、ウィーブ共振を非常に良く減衰させ、ウォッブル共振についても良好な減衰性能を提供する。
【００９８】
さらに、第１のハイブリッドアルゴリズムを用いた制御方法は、測定が単一のセンサ又は２つのセンサによって実施される場合において同様な性能を提供することにより共振を減衰させることができる。
【００９９】
上記説明から、本発明の目的である二輪自動車の電子調節型ステアリングダンパを制御する方法の特徴は、明らかなはずであり、それと同様に、関連の利点も又明らかなはずである。
【０１００】
本発明の二輪自動車の電子調節型ステアリングダンパを制御する方法は、確かに、低速と高速の両方におけるステアリングの振動モードの優れた減衰性能を提供することができる。
【０１０１】
特に、高速では、かかる制御方法は、高振動数におけるウォッブルモードと低振動数におけるウィーブモードの両方を効果的に相殺することができる。
【０１０２】
最後に、このように構成された制御方法は、全て本発明に含まれる種々の改造及び変形を行うことができることは明らかなはずであり、更に、細部は全て、技術的に均等な要素によって置き換え可能である。
【図１ａ】
2010269789.tif 000104
【図１ｂ】
2010269789.tif 000105
【図２ａ】
2010269789.tif 000106
【図２ｂ】
2010269789.tif 000107
【図３】
2010269789.tif 000108
【図４ａ】
2010269789.tif 000109
【図４ｂ】
2010269789.tif 000110
【図５】
2010269789.tif 000111
【図６】
2010269789.tif 000112
【外国語明細書】
2010269789.tif 000113
2010269789.tif 000114
2010269789.tif 000115
2010269789.tif 000116
2010269789.tif 000117
2010269789.tif 000118
2010269789.tif 000119
2010269789.tif 000120
2010269789.tif 000121
2010269789.tif 000122
2010269789.tif 000123
2010269789.tif 000124
2010269789.tif 000125
2010269789.tif 000126
2010269789.tif 000127
2010269789.tif 000128
2010269789.tif 000129
2010269789.tif 000130
2010269789.tif 000131
2010269789.tif 000132
2010269789.tif 000133
2010269789.tif 000134
2010269789.tif 000135
2010269789.tif 000136
2010269789.tif 000137
2010269789.tif 000138
2010269789.tif 000139
2010269789.tif 000140
2010269789.tif 000141
2010269789.tif 000142